(57)【要約】      （修正有）【課題】本体横幅を所定寸法内に抑制可能としつつ収納容量を大きくした冷蔵庫の提供。【解決手段】冷却器で生成した冷気を冷却ファン２７によって複数の貯蔵室に供給する冷蔵庫であって、前記冷却ファン２７は周方向に送風する多翼ファンとし、かつ冷却ファンのガイドケース３３は、一カ所に前記複数の貯蔵室に冷気を供給する吐出開口部３５を有する構成としてある。これにより、冷却ファンに接続するダクトの間隔を狭いものとすることができ、本体横幅寸法を所定寸法内に抑えることができる。しかも、冷却器と冷却ファンを設けた冷却室の前後方向の寸法を小さくして貯蔵室の前後寸法を増大させることができる。よって本体を大型化させることなく、貯蔵室の収納容量を大きなものとすることができる。【選択図】図９
2018146199.tif 000002
【特許請求の範囲】
【請求項１】
複数の貯蔵室と、前記貯蔵室を有する冷蔵庫本体の背面側に設けた冷却室と、前記冷却室に設けた一つの冷却器と、前記一つの冷却器で生成した冷気を前記複数の貯蔵室に供給する冷却ファンとを備え、前記冷却ファンは周方向に送風する多翼ファンとし、当該冷却ファンのガイドケースは、一カ所に前記複数の貯蔵室のそれぞれに冷気を供給する吐出開口部を有する構成とした冷蔵庫。
【請求項２】
吐出開口部を覆うダンパ装置を備え、前記ダンパ装置は、第１開口部と、前記第１開口部を開閉する第１フラップと、第１開口部に隣接する第２開口部と、前記第２開口部を開閉する第２フラップとを有する請求項１に記載の冷蔵庫。
【請求項３】
前記冷却ファンのガイドケースと前記ダンパ装置のケースとを一体化した請求項２に記載の冷蔵庫。
【請求項４】
前記ガイドケースは、前記多翼ファンの回転方向外周を覆う側壁を有し、前記側壁は、前記多翼ファンの回転軸を中心とするアルキメデス螺旋状に形成した請求項２または３に記載の冷蔵庫。
【請求項５】
前記冷却ファンの回転軸は、前記第１開口部と前記第２開口部のうち、前記冷却ファンの回転方向側に位置する開口部側に偏らせて設けた請求項２〜４のいずれか１項に記載の冷蔵庫。
【請求項６】
前記第１開口部に連通し、第１吹出口を有する第１吹出風路と、前記第２開口部に連通し、第２吹出口を有する第２吹出風路とを更に備え、前記第１吹出風路と前記第２吹出風路のうち、前記冷却ファンからの冷気が多く供給される側の吹出風路は他方の吹出風路より長い請求項２〜５のいずれか１項に記載の冷蔵庫。
【請求項７】
前記貯蔵室と前記冷却室との間を仕切る壁面ユニットを備え、前記壁面ユニットは冷却室側壁面板と貯蔵室側壁面板とを有し、前記壁面ユニットは、前記冷却室側壁面板と前記貯蔵室側壁面板との間に設けられた、前記貯蔵室への吹出風路と、前記冷却室側壁面板の冷却室側の面に設けられた冷却ファンおよびダンパ装置と、前記冷却室側壁面板に設けられ、前記ダンパ装置と前記吹出風路とを連通させる透孔とを有する請求項２〜５のいずれか１項に記載の冷蔵庫。
【請求項８】
前記壁面ユニットは、冷却室側壁面板と貯蔵室側壁面板との間に各貯蔵室からの冷気の戻り風路を更に有し、前記戻り風路は、前記貯蔵室のうち下方に位置する貯蔵室への冷気の吹出風路によって、左右に分断され、それぞれの端部に前記貯蔵室の冷気の戻り口を有する請求項７に記載の冷蔵庫。
【請求項９】
前記壁面ユニットは、複数の前記貯蔵室のそれぞれに冷気を供給する第１吹出風路と第２吹出風路とを有し、前記第１吹出風路と前記第２吹出風路とが隣接する部分、または、前記戻り風路と前記第１吹出風路とが隣接する部分は、断熱層を有する多重壁とした請求項８に記載の冷蔵庫。
【発明の詳細な説明】
【技術分野】
【０００１】
本発明はワイン保存等に好適な冷蔵庫、特にシステムキッチン等にビルトインして使用されるのに好適なワイン庫等の冷蔵庫に関するものである。
【背景技術】
【０００２】
一般にワインボトルや缶類の収納保存に利用される冷蔵庫、例えばワイン庫は、システムキッチン等にビルトインされて使用されることが多い。
【０００３】
このようなワイン庫に保存するワインは、白ワイン、赤ワイン及びそれらの種類にもよるが１４℃〜１８℃程度で保存するのが好ましいとされ、かつ、その飲み頃温度は７℃〜９℃前後とされている。
【０００４】
そのため、ワインボトルを保存するワイン庫の中には保存温度帯の異なる複数の貯蔵室を備えたものが見られ、本体背面部の冷却室内の冷却室で冷却した冷気を冷却ファンで各貯蔵室に供給し各貯蔵室を所定温度に冷却保存するようになっている（例えば、特許文献１参照）。
【０００５】
図１６は上記特許文献１に記載されたワイン庫を示し、このワイン庫は電子冷却方式のワイン庫ではあるが、本体１０１内に複数の貯蔵室１０２、１０３を備えている。そして、上記貯蔵室１０２、１０３の背面部に設けた冷却室１０４内の冷却器１０５で冷気を生成し、この冷気を冷却ファン１０６によりそれぞれの貯蔵室１０２、１０３に供給して、冷却するようになっている。
【先行技術文献】
【特許文献】
【０００６】
【特許文献１】特開平１１−１５９９１０号公報
【特許文献２】特開２００７−３０９６３３号公報
【発明の概要】
【発明が解決しようとする課題】
【０００７】
上記特許文献１記載のワイン庫は、保存温度帯の異なる貯蔵室１０２、１０３を複数有するので使い勝手が良いという利点がある。しかしながら、冷却器１０５及び冷却ファン１０６を各貯蔵室１０２、１０３に応じて複数必要とするため高価なものとなる。しかも、上記冷却ファン１０６は前方に向けて送風するプロペラファンを用いているので、冷却ファン１０６の吐出口１０７、１０８から前方に向かう風路部分を必要とするため、冷却室１０４部分の前後方向の寸法が大きなものとなる。そのため、システムキッチンに組み込まれてその奥行き寸法が規制されるアンダーカウンター式のワイン庫とする場合は、貯蔵室１０２、１０３の奥行き寸法が小さなものとならざるを得ず、本体外形寸法の割に収納容量が小さいものになる、という課題があった。
【０００８】
このような課題を解決するためには、冷却器をひとつにして当該冷却器からの冷気を各貯蔵室に分岐供給する構成とするとともに、冷却ファンは周方向に送風可能で前後方向寸法を小さくできる多翼ファンを用いて構成すればよい（例えば、特許文献２参照）。
【０００９】
図１７は上記特許文献２に記載された冷気供給構成を示し、この特許文献２に記載されている冷蔵庫はワイン庫のようなものではないが、冷却器１０５を一つにしてある。そして、冷却ファン１０６は前方方向に送風するプロペラファンに比べ周方向に送風可能で前
後方向寸法を小さくできる多翼ファンを用いて構成してある。さらに多翼ファンのファンケーシングの側壁にそってその左右に吐出口１０７、１０８を設け、この吐出口１０７、１０８に各貯蔵室へのダクト１０９、１１０を接続して構成してある。
【００１０】
上記特許文献２に記載されている冷気供給構成を用いれば、一つの冷却器１０５によって各貯蔵室を冷却することができ、安価に提供することができるともに、多翼ファンを用いたたことにより、冷却室部分の前後方向寸法を小さくしてその分貯蔵室収納容量を増加させることができる。
【００１１】
しかしながら、上記特許文献２に記載の構成では、冷却ファン１０６の吐出口１０７、１０８を複数設けて冷却ファン１０６からの冷気を冷却ファン１０６の曲線状の側壁に沿って供給する構成としているため、各貯蔵室に繋がるダクト１０９、１１０の間隔が広いものとなる。したがって、冷蔵庫単体として使用されるものには適用できても、システムキッチンの下部に組み込んで使用されるアンダーカウンター式のワイン庫としてはそのまま適用することができない、というものであった。すなわち、アンダーカウンター式のワイン庫は、システムキッチンの下部に組み込まれる他の機器との関係で幅方向の寸法も規制されるため、そのままでは横幅が広くなりすぎて適用することができないのであった。そして、上記冷気供給構成では各貯蔵室に供給され冷気はその量が制御されることがないので、貯蔵室ごとの適切な冷却がし難いというものでもあった。
【００１２】
本発明はこのような点に鑑みてなしたもので、本体横幅寸法を所定寸法内に抑制可能としつつ収納容量が大きくできる冷蔵庫を提供することを目的としたのである。
【課題を解決するための手段】
【００１３】
本発明は上記目的を達成するため、複数の貯蔵室と、前記貯蔵室を有する冷蔵庫本体の背面側に設けた冷却室と、前記冷却室に設けた一つの冷却器と、前記一つの冷却器で生成した冷気を前記複数の貯蔵室に供給する冷却ファンとを備え、前記冷却ファンは周方向に送風する多翼ファンとし、当該冷却ファンのガイドケースは、一カ所に前記複数の貯蔵室に冷気を供給する吐出開口部を有する構成としてある。
【００１４】
これにより、冷却ファンに接続するダクトの間隔を狭いものとすることができ、本体横幅寸法を所定寸法内に抑えることができる。しかも、冷却器と冷却ファンを設けた冷却室の前後方向の寸法を小さくして貯蔵室の前後寸法を増大させることができる。よって本体を大型化させることなく、貯蔵室の収納容量を大きなものとすることができる。
【発明の効果】
【００１５】
本発明は、上記構成によって、本体横幅寸法を所定寸法内に抑制しつつ収納容量を大きくすることができる冷蔵庫とすることができる。
【図面の簡単な説明】
【００１６】
【図１】本発明の実施の形態１における冷蔵庫の外観斜視図
【図２】同冷蔵庫の半裁斜視図
【図３】同冷蔵庫の扉を開けて底面側から見た斜視図断面図
【図４】同冷蔵庫の内箱の斜視図
【図５】同冷蔵庫の内箱側面に設けた庫内照明ユニットの斜視図
【図６】図５のＡ−Ａ断面図
【図７】同冷蔵庫の天井面に設けた庫内照明ユニットの半裁斜視図
【図８】同冷蔵庫の冷蔵庫本体、壁面ユニット、扉を示す分解斜視図
【図９】同冷蔵庫の壁面ユニットを貯蔵室側から見た分解斜視図
【図１０】同冷蔵庫の壁面ユニットを冷却室側から見た分解斜視図
【図１１】同冷蔵庫の壁面ユニットを冷却室側から見た斜視図
【図１２】図１１のＢ−Ｂ断面図
【図１３】同冷蔵庫の壁面ユニットを貯蔵室側から見た正面図
【図１４】（ａ）同冷蔵庫の壁面ユニットに冷却ファンを装着する前の斜視図、（ｂ）同冷却ファン装着後の壁面ユニットの斜視図
【図１５】同冷蔵庫の壁面ユニットの分解斜視図
【図１６】従来の冷蔵庫を示す断面図
【図１７】（ａ）従来の他の冷蔵庫における冷気供給構成を示す正面図、（ｂ）同側面図
【発明を実施するための形態】
【００１７】
第１の発明は、複数の貯蔵室と、前記貯蔵室を有する冷蔵庫本体の背面側に設けた冷却室と、前記冷却室に設けた一つの冷却器と、前記一つの冷却器で生成した冷気を前記複数の貯蔵室に供給する冷却ファンとを備え、前記冷却ファンは周方向に送風する多翼ファンとし、当該冷却ファンのガイドケースは、一カ所に前記複数の貯蔵室のそれぞれに冷気を供給する吐出開口部を有する構成としてある。
【００１８】
これにより、冷却ファンに接続するダクトの間隔を狭いものとすることができ、本体横幅寸法を所定寸法内に抑えることができる。しかも、冷却器と冷却ファンを設けた冷却室の前後方向の寸法を小さくして貯蔵室の前後寸法を増大させることができる。よって本体を大型化させることなく、貯蔵室の収納容量を大きなものとすることができる。
【００１９】
第２の発明は、第１の発明において、前記吐出開口部を覆うダンパ装置を備え、前記ダンパ装置は、第１開口部と、前記第１開口部を開閉する第１フラップと、第１開口部に隣接する第２開口部と、前記第２開口部を開閉する第２フラップとを有する。
【００２０】
これにより、各貯蔵室へ供給する冷気量を制御でき、各貯蔵室を所定の温度に正確に冷却することができる。よって、高い冷却制御が可能で大容量且つ設置規制を受けることの少ない冷蔵庫とすることができる。
【００２１】
第３の発明は、第２の発明において、前記冷却ファンのガイドケースと前記ダンパ装置のケースとを一体化した構成としてある。
【００２２】
これにより、部品点数の削減が図れるとともに、冷却ファンのガイドケースとダンパ装置のケースとの接続部分から冷気が漏れることを防止でき、構成の簡素化と品質向上を同時に達成することができる。
【００２３】
第４の発明は、第２または第３の発明において、前記ガイドケースは、前記多翼ファンの回転方向外周を覆う側壁を有し、前記側壁は、前記多翼ファンの回転軸を中心とするアルキメデス螺旋状に形成した構成としてある。
【００２４】
これにより、多翼ファンから吐出する冷気の送風損失を最小限にでき、効率の良い冷却が可能となる。
【００２５】
第５の発明は、第２〜第４のいずれか１つの発明において、前記冷却ファンの回転軸は、前記第１開口部と前記第２開口部のうち、前記冷却ファンの回転方向側に位置する開口部側に偏らせて設けた構成としてある。
【００２６】
これにより、ファン回転方向と反対側に偏って供給されがちな多翼ファンからの冷気を第１開口部及び第２開口部に略均等に供給することができ、各貯蔵室を効率よく冷却する
ことができる。
【００２７】
第６の発明は、第２〜第５のいずれか１つの発明において、前記第１開口部に連通し、第１吹出口を有する第１吹出風路と、前記第２開口部に連通し、第２吹出口を有する第２吹出風路とを更に備え、前記第１吹出風路と前記第２吹出風路のうち、前記冷却ファンからの冷気が多く供給される側の吹出風路は他方の吹出風路より長くした構成としてある。
【００２８】
これにより、冷気が多く供給される側のダンパ装置の開口部に連通する風路は長くて抵抗が大きいため、第１吹出風路及び第２吹出風路から吹出す冷気量を略同一にすることができ、各貯蔵室を効率よく冷却することができる。
【００２９】
第７の発明は、第２〜第４のいずれか１つの発明において、前記貯蔵室と前記冷却室との間を仕切る壁面ユニットを備え、前記壁面ユニットは冷却室側壁面板と貯蔵室側壁面板とを有し、前記壁面ユニットは、前記冷却室側壁面板と前記貯蔵室側壁面板との間に設けられた、前記貯蔵室への吹出風路と、前記冷却室側壁面板の冷却室側の面に設けられた冷却ファンおよびダンパ装置と、前記冷却室側壁面板に設けられ、前記ダンパ装置と前記吹出風路とを連通させる透孔とを有する構成としてある。
【００３０】
これにより、冷却ファンからの冷気は冷却室側壁面板のダンパ装置と風路との間に設けた透孔を介して、それぞれ直接、吹出風路に供給される。このため、冷却ファンと吹出風路との間をダクト部材等によって接続するものに比べ、冷却ファンと吹出風路との前後・上下両方向の位置関係を最小寸法にすることができる。これによって、貯蔵室の収納容量を大きくすることができる。
【００３１】
第８の発明は、第７の発明において、前記壁面ユニットは、冷却室側壁面板と貯蔵室側壁面板との間に各貯蔵室からの冷気の戻り風路を更に有し、前記戻り風路は、前記貯蔵室のうち下方に位置する貯蔵室への冷気の吹出風路によって、左右に分断され、それぞれの端部に前記貯蔵室の冷気の戻り口を有する構成としてある。
【００３２】
これにより、貯蔵室から戻り口を介して戻り風路へと流れる冷気は貯蔵室の両側部分に分散するため、貯蔵室内を冷気が略均等に流れる様になる。これによって、貯蔵室の冷却を偏りの少ない均等なものとすることができる。
【００３３】
第９の発明は、第７または第８の発明において、前記壁面ユニットは、複数の前記貯蔵室のそれぞれに冷気を供給する第１吹出風路と第２吹出風路とを有し、前記第１吹出風路と前記第２吹出風路とが隣接する部分、または、前記戻り風路と前記第１吹出風路とが隣接する部分は、断熱層を有する多重壁とした構成としてある。
【００３４】
これにより、第１吹出風路と第２吹出風路、または、前記第１吹出風路または第２吹出風路と戻り風路とが隣接していても両者間での熱移動を最小限に抑制することができ、効率の良い冷却が可能となる。
【００３５】
以下、本発明の実施の形態について、図面を参照しながら説明する。なお、この実施の形態によって本発明が限定されるものではない。
【００３６】
（実施の形態１）
まず図１〜図７を用いて冷蔵庫の全体構成を説明する。
【００３７】
図１は本発明の実施の形態１における冷蔵庫の外観斜視図、図２は同冷蔵庫の半裁斜視図、図３は同冷蔵庫の扉を開けて底面側から見た斜視図断面図、図４は同冷蔵庫の内箱の
斜視図、図５は同冷蔵庫の内箱側面に設けた庫内照明ユニットの斜視図、図６は図５のＡ−Ａ断面図、図７は同冷蔵庫の天井面に設けた庫内照明ユニットの半裁斜視図である。
【００３８】
図１〜図７において、本実施の形態の冷蔵庫は、冷蔵庫本体１内に仕切板２を設けて上下二つの貯蔵室３、４が区画形成してあり、更にこの各貯蔵室３、４内にはワインボトル等を載せる棚５が設置してある。仕切板２は内部に断熱材を有していてもいなくてもよい。
【００３９】
上記冷蔵庫本体１は、図２に示すように、前方を開口する金属製（例えば鉄板）の外箱６と、硬質樹脂製（例えばＡＢＳ製）の内箱７と、これら外箱６と内箱７との間に発泡充填した硬質ウレタン等の発泡断熱材（図示せず）とで構成してある。そして、上記冷蔵庫本体１の開口両側部及び天井面開口部分には、図３に示すように貯蔵室３、４内を照射する照明ユニット８、９が設けてある。
【００４０】
上記照明ユニット８、９のうち両側部に設けた照明ユニット８は、図４〜図６に示すように、内箱７の照明用開口１０の内側に装着した台座１１と、この台座１１に取付けた照明基板１２と、照明基板１２の上下方向に列接したＬＥＤ１３と、ＬＥＤ１３の前面を覆うカバー１４とからなる。
【００４１】
上記カバー１４は断面略Ｌ字状に形成して内箱７の前端面７ａまで回り込んでこれを覆うように形成してある。つまり、カバー１４は、前面カバー部１４ａと側面カバー部１４ｂとを備えている。そして、側面カバー部１４ｂは、図６に示すように、前端面７ａ側とは反対側に傾斜させて設けた係合リブ１５を有している。カバー１４は、係合リブ１５を台座１１に設けた保持穴１６に圧入することによって取り付けられる。これによってカバー１４はその前面カバー部１４ａが内箱７の前端面７ａに圧接する。
【００４２】
一方、冷蔵庫本体１の天井面開口部分に設けた照明ユニット９は、図７に示すように、冷蔵庫本体１、すなわち内箱７の天井面前端部分に設けた凹部９ａに組み込んで設けてある。なお、この照明ユニット９の台座は天井壁面を構成する如く幅広に形成してある。照明ユニット９のカバーは単純な平面形状である。
【００４３】
また、前記冷蔵庫本体１の各貯蔵室３、４の前面は、回動自在な扉２０によって開閉可能としてある。そして、上記扉２０は、図２に示すように、アルゴンガス等の断熱性ガスを封入した三重のガラス板ユニット等からなる中央板２１を有し、断熱扉として作用しつつ貯蔵室３、４内を外部から目視できるようにしてある。なお、上記扉２０には把手２２が設けてある。
【００４４】
さらに、前記扉２０の上部略中央には前記各貯蔵室３、４の温度の設定と表示を行う操作表示部２３（図８参照）が設けてある。この操作表示部２３は扉２０の前面側からタッチすることによって操作できる。また、操作表示部２３に表示される内容は前方から視認できる。
【００４５】
また、上記冷蔵庫本体１の背面には冷却室２５が設けてあり、冷却器２６と冷却ファン２７が設置してある。冷蔵庫本体１の下部、つまり冷却室２５の下方には、機械室２８が設けてある。冷却器２６は機械室２８に組み込んだ圧縮機２９で圧縮した冷媒の蒸発により冷却室２５内で冷気を生成する。また、冷却ファン２７は、上記冷却室２５で生成した冷気を前記各貯蔵室３、４に供給し、その後冷却室２５に回収して再び各貯蔵室３、４へと循環させる。
【００４６】
以下、上記冷気の供給構成について図８〜図１５を用い説明する。
【００４７】
図８は冷蔵庫の分解斜視図、図９は同冷蔵庫の壁面ユニットを貯蔵室側から見た分解斜視図、図１０は同冷蔵庫の壁面ユニットを冷却室側から見た分解斜視図、図１１は同冷蔵庫の壁面ユニットを冷却室側から見た斜視図、図１２は図１１のＢ−Ｂ断面図、図１３は同冷蔵庫の壁面ユニットを貯蔵室側から見た正面図、図１４（ａ）は同冷蔵庫の壁面ユニットに冷却ファンを装着する前の斜視図、（ｂ）は同冷却ファン装着後の壁面ユニットの斜視図、図１５は同冷蔵庫の壁面ユニットの分解斜視図である。
【００４８】
上記各貯蔵室３、４へ冷気を供給する風路は、前記各貯蔵室３、４と冷却室２５とを仕切る壁面ユニット３０に形成してある。
【００４９】
壁面ユニット３０は、図９、図１０等に示すように、前記各貯蔵室３、４に面する貯蔵室側壁面板３１と冷却室２５に面する冷却室側壁面板３２とを嵌合して構成してある。
【００５０】
冷却室側壁面板３２には冷却室側の面の前記上側の貯蔵室３（以下、上側貯蔵室と称す）と対向する部分に冷却ファン２７が設けてある。冷却ファン２７はブロアファンのような周方向に送風する多翼ファンである。冷却ファン２７は、回転軸に平行な複数枚の羽根を有する多翼ファン２７ａを、ガイドケース３３で覆って構成してある。ガイドケース３３は、多翼ファン２７ａの冷却室側の面を覆う主面部と、多翼ファン２７ａの回転方向外周を囲む側壁部とを備えている。そして、上記ガイドケース３３の主面部には、吸入開口部３４が設けてある。また、側壁部の上部一箇所に吐出開口部３５が設けてある。
【００５１】
側壁部の主要部分は、多翼ファン２７ａの回転軸を中心とし、回転軸の回転方向にしたがって、径が拡大するアルキメデス螺旋状に設けられている。
【００５２】
また、前記冷却ファン２７の吐出開口部３５にはダンパ装置３６が設けてある。このダンパ装置３６は、図９に示すように、第１開口部３７と第２開口部３８を形成したダンパ枠体３９と、モータ等の駆動源（図示せず）により駆動されて前記各開口を開閉する第１フラップ４０及び第２フラップ４１とを備えている。
【００５３】
上記ダンパ装置３６の第１開口部３７と第２開口部３８は、駆動源を介して隣接して設けてある。第１開口部３７と第２開口部３８は、前記冷却ファン２７の吐出開口部３５に対応して位置している。そして、本実施の形態では図１０、図１１等に示すようにダンパ装置３６のケース４２を前記冷却ファン２７のガイドケース３３の上部に一体形成して、多翼ファン２７ａとダンパ装置３６を覆っている。つまり、冷却ファン２７とダンパ装置３６とを一体化して直結してある。
【００５４】
多翼ファン２７ａの回転軸の回転方向は、図１３に示すように、貯蔵室側から見て反時計周りである。つまり、回転軸は、後述する第１開口部３７側から、第２開口部３８側へと回転する。第１開口部３７は、回転軸の反回転方向に設けられた開口部であり、第２開口部は、回転軸の回転方向に設けられた開口部である。
【００５５】
また、上記冷却ファン２７の回転軸は、前記ダンパ装置３６の開口部のうち前記冷却ファン２７の回転方向側に位置する開口部である第２開口部３８側に偏らせて設けてある。また、上記第１開口部３７に連通する第１吹出風路４７は、第２開口部３８に連通する第２吹出風路４８より長い。
【００５６】
更に、上記冷却ファン２７と、ダンパ装置３６と、ガイドケース３３およびケース４２とは、冷却室側壁面板３２に取り付付けて壁面ユニット３０にユニット化し、壁面ユニット３０を冷蔵庫本体１に取付けることによって組み込み可能としてある。
【００５７】
なお、上記冷却ファン２７のガイドケース３３とダンパ装置３６のケース４２とは別体に構成して後から接続してもよい。
【００５８】
また、前記冷却室側壁面板３２のダンパ装置３６と対向する部分には、ダンパ装置３６の第１開口部３７と第２開口部３８に対応させて第１透孔４３および第２透孔４４がそれぞれ形成してある。
【００５９】
図９に示すように、上記冷却室側壁面板３２と貯蔵室側壁面板３１の相対向する面には風路形成用リブ４５、４６を設けて、第１透孔４３から下側貯蔵室４へ冷気を供給する第１吹出風路４７と、第２透孔４４から上側貯蔵室３へ冷気を供給する第２吹出風路４８を形成している。更に上記冷却室側壁面板３２と貯蔵室側壁面板３１の相対向する面には戻り風路形成用リブ４９を設けて、上側貯蔵室３と下側貯蔵室４との共用の戻り風路５０が設けてある。戻り風路５０は、各貯蔵室３、４に供給された冷気を冷却室２５に戻すための風路である。
【００６０】
そして、上記冷却室側壁面板３２の第１吹出風路４７と対向する部分に下吹出口５１ａ、第２吹出風路４８と対向する部分に上吹出口５１ｂが設けてある。更に、下側貯蔵室４と対向する部分に下戻り口５２ａ、上側貯蔵室３と対向する部分に上戻り口５２ｂが形成してある。そして冷却室側壁面板３２の下端部には切欠き開口を形成して戻り風路５０からの冷気を冷却室２５に戻す冷気戻り口５２が設けてある。
【００６１】
つまり、第１吹出風路４７は、一端に第１透孔４３を備え、少なくとも他端に下吹出口５１ａを備えている。第２吹出風路４８は、一端に第２透孔４４を備え、少なくとも他端に上吹出口５１ｂを備えている。
【００６２】
本実施の形態では、上記第１吹出風路４７は図１５に示すように戻り風路５０の略中央部分を通して下側貯蔵室４に冷気を供給するように構成してあり、上戻り口５２ｂは前記第１吹出風路４７の左右両側に分散するように設けてある。換言すると、戻り風路５０は、第１吹出風路４７によって、左右に分断されている。左右に分断された戻り風路５０の端部のそれぞれには、上戻り口５２ｂが設けられている。
【００６３】
また、図１５に示すように、上記第１吹出風路４７と戻り風路５０とが隣接する部分では、第１吹出風路４７を形成する風路形成用リブ４５と、戻り風路５０を形成する戻り風路形成用リブ４９とを隙間をおいて配置している。つまり、それぞれの風路形成用リブの間に空気層である断熱層５４を形成してある。すなわち当該部分は多重壁構成として両者間に断熱層５４が形成される構成としてある。
【００６４】
また、同様に、上記第１吹出風路４７と第２吹出風路４８とが隣接する部分では、第１吹出風路４７を形成する風路形成用リブ４５と、第２吹出風路４８を形成する風路形成用リブ４６とを隙間をおいて配置している。つまり、それぞれの風路形成用リブの間に空気層である断熱層５４を形成してある。
【００６５】
なお、本実施の形態では第１吹出風路４７と戻り風路５０とが隣接する部分の一部のみを多重壁構成としているが、すべての領域において多重壁構成とするのが好ましい。
【００６６】
また、第１吹出風路４７、第２吹出風路４８および戻り風路５０を形成する各風路形成用リブは冷却室側壁面板３２と貯蔵室側壁面板３１の両方に設けたものを例示したが、これはいずれか一方側に設けただけのものであってもよく、特に限定されるものではない。
【００６７】
次に上記のように構成した冷蔵庫の作用効果について説明する。
【００６８】
まず、冷気の流れを説明する。冷気は、圧縮機２９の駆動により冷却器２６を設けた冷却室２５内で生成される。冷却室２５で生成した冷気は冷却ファン２７に吸引され、ダンパ装置３６を経由して第１透孔４３および第２透孔４４から第１吹出風路４７および第２吹出風路４８に供給される。
【００６９】
第１吹出風路４７および第２吹出風路４８に供給された冷気は、上吹出口５１ｂ、下吹出口５１ａから上側貯蔵室３、下側貯蔵室４に供給され、これら各貯蔵室３、４内のワインボトルを冷却する。
【００７０】
そして、上側貯蔵室３を冷却した後の冷気は上戻り口５２ｂから、また下側貯蔵室４を冷却した後の冷気は下戻り口５２ａから戻り風路５０に吸い込まれ、合流して冷気戻り口５２より冷却室２５へと回収され。
【００７１】
上記、各貯蔵室３、４に供給される冷気はダンパ装置３６によってそれぞれ別個に制御され、各貯蔵室３、４を所定温度に冷却する。
【００７２】
また、上記各貯蔵室３、４の冷却温度は扉２０の前面上部に設けた操作表示部２３をタッチ操作することによって設定することができる。また、操作表示部２３に表示される温度によって、各貯蔵室３、４の冷却温度を知ることもできる。
【００７３】
そして、上記各貯蔵室３、４内に収納したワインボトルは中央板２１を介して目視することができるので、ユーザは扉２０を開けて所望するワインボトルを探すことなく迅速に取り出すことができる。
【００７４】
ここで上記冷蔵庫は、一つの冷却室２５で生成した冷気を二つの貯蔵室３、４に供給して冷却する構成とし、各貯蔵室に供給する冷気はダンパ装置３６によって制御するようにしているので、各貯蔵室ごとに異なる温度帯に冷却することができる。しかも上記ダンパ装置３６は第１フラップ４０、第２フラップ４１によって各貯蔵室への冷気を個々に独立して制御するので、所定の温度に正確に冷却することができる。
【００７５】
また、上記冷気を各貯蔵室３、４に供給する冷却ファン２７は周方向に送風する多翼ファン２７ａで構成しているので、前向きに吹出すプロペラファンのような前向きの風路を設ける必要がない。又、ダンパ装置３６もファンの前方に設ける必要がない。よって、冷却器２６と冷却ファン２７を設けた冷却室２５の前後方向の寸法を小さくでき、その分貯蔵室３、４の前後寸法を増大させて収納容量を大きなものとすることができる。
【００７６】
特にこの冷蔵庫では、貯蔵室３、４と冷却室２５との間を仕切る壁面ユニット３０の冷却室側壁面板３２に第１透孔４３および第２透孔４４を設けて冷却ファン２７のダンパ装置３６と第１、第２吹出風路４７、４８を連通させてあるから、前後方向の寸法を更に小さなものとすることができる。すなわち、冷却ファン２７からの冷気は第１透孔４３および第２透孔４４を介して、それぞれ直接、第１吹出風路４７、第２吹出風路４８に供給される。したがって、冷却ファン２７と第１吹出風路４７および第２吹出風路４８との間をダクト部材等によって接続するものに比べ、冷却ファン２７と第１吹出風路４７、第２吹出風路４８との前後・上下両方向の位置関係を最小寸法にすることができる。これによって、貯蔵室３、４の収納容量を更に大きくすることができる。
【００７７】
つまり、上記したような構成によって風路構成をコンパクト化でき、本体外形寸法の割に収納容量が大きく、かつ、高い冷却制御が可能な冷蔵庫とすることができる。
【００７８】
また、上記冷却ファン２７のガイドケース３３は、吐出開口部３５を一カ所としている。当該吐出開口部３５は、ダンパ装置３６に覆われ、当該ダンパ装置３６の第１開口部３７と第２開口部３８を隣接形成している。このため、上記第１開口部３７と第２開口部３８それぞれに接続する第１吹出風路４７と第２吹出風路４８も隣接設置し、両者間の間隔を狭めることができる。これにより、本体横幅寸法を所定寸法内に抑えることができ、本体横幅寸法が規制されるアンダーカウンター式のワイン庫等としても容易に適用することができる。
【００７９】
また、上記冷却ファン２７のガイドケース３３と前記ダンパ装置３６のケース４２とは一体化した構成としてあるから、部品点数の削減が図れる。しかも上記冷却ファン２７のガイドケース３３と前記ダンパ装置３６のケース４２を別体にして接続する構成とした場合に懸念される冷気漏れ等を防止できる。したがって、構成を簡素化しつつ品質を向上させることができる。
【００８０】
一方、上記冷却ファン２７のガイドケース３３は、多翼ファン２７ａの外周を覆う側壁を、前記多翼ファン２７ａの回転軸を中心とするアルキメデス螺旋状に形成した構成としてあるから、多翼ファン２７ａから吐出する冷気の送風損失を最小限にでき、効率の良い冷却が可能となる。
【００８１】
しかも上記冷却ファン２７の回転軸は、前記ダンパ装置３６の前記冷却ファン２７の回転方向側に位置する開口部、本実施の形態では第２開口部３８側に偏らせて設けた構成としてあるから、ファン回転方向と反対側に偏って供給されがちな多翼ファン２７ａからの冷気を第１開口部３７及び第２開口部３８に略均等に供給することができる。これにより、各貯蔵室３、４を効率よく冷却することができる。
【００８２】
また、上記のように構成しても冷気の偏りが残る傾向がある。したがって、本実施の形態では冷気が多く供給されがちな第１開口部３７に連通する第１吹出風路４７を、第２開口部３８に連通する第２吹出風路４８より長くしてある。これにより、冷気が多く供給される第１開口部３７側の風路抵抗が大きくなり、第１吹出風路４７及び第２吹出風路４８から吹出す冷気量をより均一化して各貯蔵室を効率よく冷却することができる。
【００８３】
加えて、上記上側貯蔵室３からの冷気を戻り風路５０に戻す上戻り口５２ｂは前記第１吹出風路４７の左右に分散させて設けてあるから、上側貯蔵室３内の冷気は上側貯蔵室３の両側部分に分散するようになる。これによって、上側貯蔵室３の冷却を偏りの少ない均等なものとすることができる。
【００８４】
また、上記第１吹出風路４７と第２吹出風路４８とが隣接する部分、及び第１吹出風路４７や第２吹出風路４８と戻り風路５０とが隣接する部分は、断熱層５４を有する多重壁構成としてあるから、各風路間での熱移動を最小限に抑制することができ、効率の良い冷却が可能となる。
【００８５】
以上、本発明に係る冷蔵庫について、上記実施の形態を用いて説明してきたが、本発明は、これに限定されるものではなく、本発明の目的を達成する範囲内で種々変更可能であることは言うまでもない。
【００８６】
例えばこの実施の形態の冷蔵庫はシステムキッチン等にビルトインされて使用されるアンダーカウンター式の冷蔵庫としたが、ビルトインされることなく使用される冷蔵庫であってもよく、またワイン保存に適した冷蔵庫として示したが、食材を冷却保存する普通の冷蔵庫であってもよいものである。
【００８７】
また、この実施の形態では貯蔵室が二つの場合を例示したが、貯蔵室は二つ以上であってそのそれぞれの温度帯を異なるものとしてもよいものである。
【００８８】
以上のように、今回開示した実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００８９】
以上のように本発明は、本体横幅寸法を所定寸法内に抑制しつつ収納容量を大きくすることができる冷蔵庫とすることができる。よって、ワインセラーはもちろん、アンダーカウンター冷蔵庫等として一般用及び業務用を問わず幅広く適用できる。
【符号の説明】
【００９０】
１  冷蔵庫本体
３  貯蔵室（上側貯蔵室）
４  貯蔵室（下側貯蔵室）
５  棚
６  外箱
７  内箱
８、９  照明ユニット
９ａ  凹部
１１  台座
１２  照明基板
１３  ＬＥＤ
１４  カバー
１４ａ  前面カバー部
１４ｂ  側面カバー部
１５  係合リブ
１６  保持穴
２０  扉
２１  中央板
２２  把手
２５  冷却室
２６  冷却器
２７  冷却ファン
２７ａ  多翼ファン
２８  機械室
２９  圧縮機
３０  壁面ユニット
３１  貯蔵室側壁面板
３２  冷却室側壁面板
３３  ガイドケース
３４  吸入開口部
３５  吐出開口部
３６  ダンパ装置
３７  第１開口部
３８  第２開口部
３９  ダンパ枠体
４０  第１フラップ
４１  第２フラップ
４２  ケース
４３  第１透孔
４４  第２透孔
４５  風路形成用リブ
４６  風路形成用リブ
４７  第１吹出風路
４８  第２吹出風路
４９  戻り風路形成用リブ
５０  戻り風路
５１ａ  下吹出口
５１ｂ  上吹出口
５２ａ  下戻り口
５２ｂ  上戻り口
５２  冷気戻り口
５４  断熱層
【図１】
2018146199.tif 000003
【図２】
2018146199.tif 000004
【図３】
2018146199.tif 000005
【図４】
2018146199.tif 000006
【図５】
2018146199.tif 000007
【図６】
2018146199.tif 000008
【図７】
2018146199.tif 000009
【図８】
2018146199.tif 000010
【図９】
2018146199.tif 000011
【図１０】
2018146199.tif 000012
【図１１】
2018146199.tif 000013
【図１２】
2018146199.tif 000014
【図１３】
2018146199.tif 000015
【図１４】
2018146199.tif 000016
【図１５】
2018146199.tif 000017
【図１６】
2018146199.tif 000018
【図１７】
2018146199.tif 000019